(57)【特許請求の範囲】
【請求項１】
光偏向器により偏向される偏向光束を被走査面に向かって集光し、上記被走査面上に光スポットを形成するための走査結像光学系の少なくとも一部を構成するレンズであって、
透明樹脂材料の成形加工により成形され、主走査方向に長い短冊状であり、
副走査方向のレンズ側端面が、レンズ光軸に対して微小なテーパ角を有し、
成形に伴なってレンズ内部に生じる副走査方向の屈折率分布の対称軸に対し、上記レンズ光軸を、副走査方向に所定距離ずらしたことを特徴とする走査結像レンズ。
【請求項２】
請求項１記載の走査結像レンズにおいて、
光偏向器側に配置されてｆθ機能を有し、被走査面側に配置されるトロイダルレンズとともに、２枚構成の走査結像光学系を構成することを特徴とする走査結像レンズ。
【請求項３】
偏向反射面を回転させる方式の光偏向器により偏向された偏向光束を被走査面に向かって集光し、上記被走査面上に光スポットを形成するための走査結像光学系であって、
請求項２記載の走査結像レンズとトロイダルレンズとにより構成され、
光偏向器の偏向反射面位置と被走査面位置とを、副走査方向に関して、幾何光学的に略共役な関係とする機能を有することを特徴とする走査結像光学系。
【請求項４】
偏向反射面を回転させる方式の光偏向器により、光源側からの光束を偏向させ、偏向光束を走査結像光学系により被走査面に向かって集光させ、上記被走査面上に光スポットを形成し、上記被走査面の光走査を行う光走査装置において、
走査結像光学系が、請求項３記載のものであり、
上記走査結像レンズは、副走査方向において光軸に対して微小なテーパ角を有する、副走査方向のレンズ側端面を取付け面として、保持部に取り付けられることにより、レンズ光軸が偏向走査面に対して副走査方向に微小角傾き、
上記レンズ光軸の微小角の傾きに起因する走査線の曲がりを補正するように、上記走査結像レンズにおける、副走査方向の屈折率分布の対称軸に対するレンズ光軸の副走査方向のずれ量を定められたことを特徴とする光走査装置。
【請求項５】
請求項４記載の光走査装置において、
光源が半導体レーザであり、半導体レーザから放射される発散性の光束を以後の光学系にカップリングするカップリング光学系を有し、
カップリングされた光束が線像結像光学系により、光偏向器の偏向反射面近傍に、主走査方向に長い線像として結像されることを特徴とする光走査装置。
【請求項６】
偏向反射面を回転させる方式の光偏向器により、光源側からの光束を偏向させ、偏向光束を走査結像光学系により被走査面に向かって集光させ、上記被走査面上に光スポットを形成し、上記被走査面の光走査を行う光走査方法であって、
請求項４または５に記載の光走査装置を用いて行われることを特徴とする光走査方法。
【請求項７】
感光媒体の感光面に光走査装置による光走査を行って潜像を形成し、上記潜像を可視化して画像を得る画像形成装置であって、
感光媒体の感光面の光走査を行う光走査装置として、請求項４または５記載のものを用いたことを特徴とする画像形成装置。
【請求項８】
請求項７記載の画像形成装置において、
感光媒体が光導電性の感光体であり、感光面の均一帯電と光走査装置の光走査とにより形成される静電潜像が、トナー画像として可視化されることを特徴とする画像形成装置。
【発明の詳細な説明】
【０００１】
【発明の属する技術分野】
この発明は、走査結像レンズ・走査結像光学系・光走査装置・光走査方法および画像形成装置に関する。
【０００２】
【従来の技術】
回転多面鏡の如き「偏向反射面を回転させる方式の光偏向器」により、光源側からの光束を偏向させ、偏向光束を走査結像光学系により被走査面に向かって集光させて被走査面上に光スポットを形成し、被走査面の光走査を行う光走査装置は従来から、デジタル複写装置や光プリンタ等に関連して広く知られている。
このような光走査装置において、非球面等の採用により性能を向上させる目的や、レンズ製造のコストを低減させる目的で、走査結像光学系（あるいはその一部）として、プラスチック成形による走査結像レンズが用いられるようになってきている。
プラスチック成形による走査結像レンズは、ポリカーボネイトやアクリル等の樹脂を加熱して液状とし、金型内に射出することにより成形される。その際、金型内でプラスチックが冷却して固化するとき、冷却は金型面に接触している部分から始まり、次第にレンズ中央部に及ぶ。従って、冷却中にレンズ内に温度分布が発生し、液状のプラスチックは「先に冷却して固化した部分へ流動する傾向」を持つため、冷却が完了した時点では、レンズ内に材料プラスチックの密度の不均一が発生する。即ち、プラスチック成形で作製された走査結像レンズの密度は一般に「レンズ表面部近傍からレンズ中心部へと、次第に低下」している。
プラスチックは「密度が高いほど屈折率が高い」ので、上記密度分布により、レンズ内屈折率は、レンズ中心部からレンズ表面へ向かって次第に高くなる。レンズ内にこのような屈折率の分布があると、レンズ表面の曲率によるレンズ作用のほかに、屈折率分布自体がレンズ作用を有することになる。
プラスチックレンズは、内部の屈折率を均一として設計されるので、レンズ内部に上記の如き「屈折率分布」があると、設計上の光学特性を正確に実現する事ができない。走査結像光学系が、不均一な屈折率分布を持つプラスチックレンズを含むと、光スポットの結像位置は設計上の結像位置からずれ、スポット径が増大する。
【０００３】
屈折率はレンズ表面部に近いほど高くなるので、屈折率分布の作用は「凹レンズ」と等価である。そこで、プラスチックレンズよりも光源側にある結像系の位置調整により、プラスチックレンズ内の屈折率分布に起因する光スポット結像位置のずれを補正することが提案されている（特開平１１−２７６８号公報）。
走査結像光学系にプラスチックレンズを用いる場合には、上記屈折率の不均一の他に、光スポットの軌跡が曲線を描く「走査線の曲がり」の問題がある。
前述したように、プラスチックレンズは「加熱して液状とした樹脂を金型内に射出することにより成形」され、金型内で冷却・固化したレンズが、金型から取り出されるのであるが、その際の「金型からの離型性」を良くするために、金型の「レンズ側端面」を形成する部分には「型抜き用のテーパ」を設けるのが一般的である。
走査結像光学系に用いられるレンズは一般に、主走査方向に長い「短冊状」であり、長さ方向に沿うレンズ側端面は「副走査方向のレンズ側端面」であるが、この副走査方向のレンズ側端面にも「型抜き用のテーパ」が形成されるため、この側端面はレンズ光軸（入射側レンズ面の近軸曲率中心と、射出側レンズ面の近軸曲率中心を結ぶ直線）に対して微小角（１〜３度程度）をなすことになる。
上記「副走査方向のレンズ側端面」は一般に、光走査装置における各光学系を組み付けられる「光走査ケーシング」への取り付け基準面であり、副走査方向のレンズ側端面にテーパがあると、プラスチックレンズの光軸が「偏向走査面（この明細書中において、偏向光束の主光線が偏向に伴ない掃引する平面をいう）」に対して副走査方向に傾くことになる。このため、プラスチックレンズから射出した光束の主光線の方向が、偏向走査面に対して傾き、前記「走査線の曲がり」が発生する。
【０００４】
【発明が解決しようとする課題】
この発明は、型成形により形成されるプラスチックレンズを走査結像光学系に含む光走査装置において、上記の走査線の曲がりを有効に軽減もしくは防止して、良好な光走査を可能ならしむることを課題とする。
【０００５】
【課題を解決するための手段】
この発明の走査結像レンズは「光偏向器により偏向される偏向光束を被走査面に向かって集光し、被走査面上に光スポットを形成するための走査結像光学系の少なくとも一部を構成するレンズ」であって、透明樹脂材料の成形加工により成形され、主走査方向に長い短冊状であり、副走査方向のレンズ側端面は、レンズ光軸に対して微小なテーパ角を有する。
成形に伴なってレンズ内部に生じる「副走査方向の屈折率分布の対称軸」に対し、レンズ光軸が「副走査方向に所定距離ずらされ」ている。
上記の如く、走査結像レンズは「走査結像光学系の少なくとも一部を構成」するものであるから、走査結像光学系を「走査結像レンズと他の結像光学素子（結像ミラーや結像レンズ）との組み合わせ」により構成することができるが、走査結像レンズのみにより走査結像光学系を構成することもできる。
走査結像光学系を「走査結像レンズと他の結像光学素子と」で構成する場合、組み合わせの１態様として、走査結像レンズとトロイダルレンズとの組み合わせが考えられる。この場合、走査結像レンズにｆθ機能（ｆθレンズとしての機能）を持たせて光偏向器側に配備し、トロイダルレンズを被走査面側に配置して、2枚構成の走査結像光学系とすることができる（請求項２）。
この発明の走査結像光学系は「偏向反射面を回転させる方式の光偏向器により偏向された偏向光束を被走査面に向かって集光し、被走査面上に光スポットを形成するための走査結像光学系」であって、請求項２記載の走査結像レンズとトロイダルレンズとにより構成される。そして、この走査結像光学系は、光偏向器の偏向反射面位置と被走査面位置とを、副走査方向に関して「幾何光学的に略共役な関係」にする機能を有する（請求項３）。
この発明の光走査装置は「偏向反射面を回転させる方式の光偏向器により、光源側からの光束を偏向させ、偏向光束を走査結像光学系により被走査面に向かって集光させ、被走査面上に光スポットを形成し、被走査面の光走査を行う光走査装置」であって、走査結像光学系として上記請求項３記載のものが用いられ、走査結像光学系の一部を構成する走査結像レンズは「副走査方向のレンズ側端面を取付け面として保持部に取り付けられる」が、この取り付け面が「副走査方向において光軸に対して微小なテーパ角をもつ」ことにより、レンズ光軸が偏向走査面に対して副走査方向に微小角傾く。
【０００６】
走査結像レンズは、プラスチックの成形加工により形成されるので、内部に屈折率の分布を有するが、「副走査方向の屈折率分布の対称軸に対するレンズ光軸の副走査方向のずれ量」を、レンズ光軸の上記微小角の傾きに起因する走査線の曲がりを補正するように定められる（請求項４）。
上記「偏向反射面を回転させる方式の光偏向器」は、回転単面鏡、回転２面鏡、回転多面鏡等である。
上記請求項４記載の光走査装置において、光源として「半導体レーザ」を用い、半導体レーザから放射される発散性の光束を「カップリング光学系」により以後の光学系にカップリングし、カップリングされた光束が「線像結像光学系」により、光偏向器の偏向反射面近傍に「主走査方向に長い線像」として結像されるようにすることができる(請求項５)。
この発明の光走査方法は「偏向反射面を回転させる方式の光偏向器により、光源側からの光束を偏向させ、偏向光束を走査結像光学系により被走査面に向かって集光させ、被走査面上に光スポットを形成し、被走査面の光走査を行う光走査方法」であって、上記請求項４または５に記載の光走査装置を用いて行われることを特徴とする（請求項６）。
この発明の画像形成装置は「感光媒体の感光面に光走査装置による光走査を行って潜像を形成し、潜像を可視化して画像を得る画像形成装置」であって、感光媒体の感光面の光走査を行う光走査装置として、請求項４または５記載のものを用いたことを特徴とする(請求項７)。
請求項７記載の画像形成装置において、感光媒体を光導電性の感光体とし、感光面の均一帯電と光走査装置の光走査とにより形成される静電潜像をトナー画像として可視化するように構成することができる（請求項８）。トナー画像は、シート状の記録媒体（転写紙や「ＯＨＰシート（オーバヘッドプロジェクタ用のプラスチックシート」等）に定着される。
請求項７記載の画像形成装置で、感光媒体として例えば「銀塩写真フィルム」を用いることもできる。この場合、光走査装置による光走査により形成された潜像は通常の銀塩写真プロセスの現像手法で可視化できる。このような画像形成装置は例えば「光製版装置」あるいは「光描画装置」として実施できる。請求項８記載の画像形成装置は、具体的にはレーザプリンタやレーザプロッタ、デジタル複写装置、ファクシミリ装置等として実施できる。
【０００７】
【発明の実施の形態】
図１（ａ）は、この発明の光走査装置を説明図的に示している。
光源装置４０１は「光源としての半導体レーザからの発散性の光束を、カップリングレンズにより平行光束化して放射する」ように構成されたものである。
光源装置４０１から放射される平行光束は、「線像結像光学系」としてのシリンダレンズ４０２により、副走査方向に集光され、「光偏向器」としての回転多面鏡４０３の偏向反射面位置に、主走査方向に長い線像として結像する。偏向反射面による反射光束は、回転多面鏡４０３の等速回転に伴ない等角速度的に偏向する偏向光束となる。
偏向光束はレンズ４０４、４０５を順次透過して被走査面に向かい、被走査面上に光スポットを形成し、走査線４０６を光走査する。
レンズ４０４はｆθレンズ、レンズ４０５はトロイダルレンズであり、これらは「走査結像光学系」を構成する。「ｆθレンズ」であるレンズ４０４は、この発明の「走査結像レンズ」であり、プラスチックの成形加工により作製される。
図１（ｂ）は、走査結像レンズ４０４を副走査方向から見た状態を示す。図１（ｂ）の上方は入射側であり、左右方向は主走査方向である。
走査結像レンズ４０４は主走査方向からみると、図１（ｃ）の上図のような形状をしている。
ここで、図３を参照する。図３は、成形金型の断面（主走査方向に直交する面による平断面）を示している。成形金型は、レンズ４０４の入射側面を転写する金駒３０２、射出側面を転写する金駒３０４、固定型３０５，３０６、離隔型３０７，３０８から構成され、これらに囲まれた空間３０９に樹脂が射出充填される。充填後、樹脂は急速に冷却されて固形化し、離隔型３０７，３０８が分割面３１０で離隔され、成形品が取り出される。その際に成形品と離隔型３０７，３０８の分離が円滑に行われるように、離隔型３０７，３０８の側面３０７１，３０８１は、一般に「分割面３１０から型奥側に向かって狭まる方向」に、１〜３°のテーパがつけられている。面３０８１により形成される「レンズ側端面」は、図１（ｃ）の上図における副走査方向のレンズ側端面４０４１であり、このレンズ側端面４０４１は、光走査ケーシングへの取り付け基準面である。
【０００８】
図１（ｄ）は、光走査ケーシングのレンズ設置部５０に走査結像レンズ４０４を取り付け基準面４０４１で取り付けた状態を示している。
レンズ設置部５０の上面は、前記偏向走査面に平行に形成されているので、図１（ｄ）の如くに走査結像レンズ４０４を取り付けると、取り付け面４０４１のテーパ分だけ、走査結像レンズ４０４の光軸ＡＸが副走査方向（図の上下方向）に傾くことになる。
図１（ｃ）に戻ると、走査結像レンズ４０４は軸ａｘを含み図面に直交する平面を「対称面」とする略対称な形状をしている。従って、レンズ成形加工の冷却の際に生じる屈折率：ｎの分布（図１（ｃ）の下図）は、上記対称面に対して対称な形状となっている。この「屈折率分布の対称軸ａｘ」は、走査結像レンズ４０４の光軸ＡＸ（レンズ面形状に対する対称軸である）に対し、副走査方向へ、ずれ量：Δだけずれている。
換言すると、走査結像レンズ４０４では、光軸ＡＸが、副走査方向に関する上記対称軸ａｘ（即ち、副走査方向の屈折率分布の対称軸）に対して、副走査方向へ「ずれ量：Δだけ」ずれているのである。なお、走査結像レンズを、同一形状の金型を用いて同一材料・同一条件で成形すれば、大量生産される各走査結像レンズ中における「屈折率分布」も同一の分布になる。
図２を参照する。
図２（ｂ）において、符号４０４’は「走査結像レンズ４０４と略同形状のレンズ」を示している。このレンズ４０４’では、レンズ内部の屈折率は均一で、光軸ＡＸ’は、レンズ形状の副走査方向の対称軸と合致している。
このようなレンズ４０４’を、図１（ｄ）のように光走査ケーシングに取り付け、光軸ＡＸ’が（取り付け面のテーパにより）偏光走査面に対して角：α’だけ傾いている状態において、偏向光束を入射させると、その主光線ＰＬ’（レンズ４０４’の入射側面の光軸高さに入射する）は、図の如くに屈折（屈折状態を強調して描いている）されるので、レンズ４０４’から射出した偏向光束の主光線ＰＬ’は、偏向走査面に対して角：β’だけ傾くことになる。
このように射出した偏向光束が、図１（ａ）におけるトロイダルレンズ４０５に入射する状態を考えると、レンズ４０４’を射出したビームがトロイダルレンズ４０５に到達する距離は、偏向角の増大に伴って大きくなるため、トロイダルレンズ４０５への入射面上で入射位置の軌跡が、偏向角とともに「上向き凸」の形状に湾曲し、これが被走査面上における走査線曲がりを引き起こす。
【０００９】
図２（ａ）は、走査結像レンズ４０４の光軸ＡＸが偏向走査面に対して（レンズ側端面のテーパにより）角：αだけ傾いている状態において、入射面の光軸高さに偏向光束を入射させた状態を説明図的に示している。
偏向光束の主光線ＰＬは、入射側面で屈折されるが、光軸ＡＸは屈折率分布の副走査方向の対称軸ａｘに対してずれているので、光軸位置ではレンズ中央部よりも屈折率が大きく、従って屈折角も大きくなる。また走査結像レンズ４０４の屈折率は、図２（ａ）において、軸ａｘから上方へ次第に大きくなっており、媒質中を伝わる光線は「屈折率の大きい方へ曲がる」性質があるので、走査結像レンズ内の主光線ＰＬの軌跡は、図の如く「上向き」に修正され、走査結像レンズ４０４から射出する光束の主光線ＰＬが、実質的に偏光走査面に合致するようにすることができる。
勿論、これには、屈折率の分布に応じて、軸ａｘと光軸ＡＸとのずれ量：Δを調整することが必要であるが、上記の如く「走査結像レンズ４０４から射出する光束の主光線を、実質的に偏光走査面に合致させる」ための条件は、実験的に決定することができる。
尚、上の実施の形態では、走査結像レンズの副走査方向の冷却条件を、レンズ中央部に対して対称とすることにより、副走査方向の屈折率分布の中心軸ａｘを、走査結像レンズの副走査方向の中心位置と合致させているが、逆に「光軸位置を副走査方向の対称軸位置と合致」させ、冷却の際に金型に温度差を持たせることにより、屈折率分布の対称軸を光軸に対してずらすようにしてもよい。
【００１０】
上に図１〜図３に即して説明した実施の形態において「走査結像レンズ」は、光偏向器４０３により偏向される偏向光束を被走査面に向かって集光し、被走査面上に光スポットを形成するための走査結像光学系の少なくとも一部を構成するレンズ４０４であって、透明樹脂材料の成形加工により成形され、主走査方向に長い短冊状であり、副走査方向のレンズ側端面４０４１が、レンズ光軸に対して微小なテーパ角を有し、成形に伴なってレンズ内部に生じる副走査方向の屈折率分布の対称軸ａｘに対し、レンズ光軸ＡＸを、副走査方向に所定距離：Δずらしたものであり（請求項１）、光偏向器４０３側に配置されてｆθ機能を有し、被走査面側に配置されるトロイダルレンズ４０５とともに、２枚構成の走査結像光学系を構成する（請求項２）。
また、上記実施の形態における「走査結像光学系」は、偏向反射面を回転させる方式の光偏向器４０３により偏向された偏向光束を被走査面に向かって集光し、被走査面上に光スポットを形成するための走査結像光学系であって、請求項２記載の走査結像レンズ４０４とトロイダルレンズ４０５とにより構成され、光偏向器４０３の偏向反射面位置と被走査面位置とを、副走査方向に関して、幾何光学的に略共役な関係にする機能を有する（請求項３）。
また、上記実施の形態の「光走査装置」は、偏向反射面を回転させる方式の光偏向器４０３により、光源側からの光束を偏向させ、偏向光束を走査結像光学系により被走査面に向かって集光させ、被走査面上に光スポットを形成し、被走査面の光走査を行う光走査装置において、走査結像光学系４０４，４０５が請求項３記載のものであり、走査結像レンズ４０４は、副走査方向において光軸に対して微小なテーパ角を有する「副走査方向のレンズ側端面４０４１」を取付け面として、保持部５０に取り付けられることにより、レンズ光軸ＡＸが偏向走査面に対して副走査方向に微小角傾き、レンズ光軸の微小角の傾きに起因する走査線の曲がりを補正するように、走査結像レンズにおける、副走査方向の屈折率分布の対称軸ａｘに対するレンズ光軸ＡＸの副走査方向のずれ量：Δを定められたことを特徴とする（請求項４）。そして、光源は「半導体レーザ」であり、半導体レーザから放射される発散性の光束を以後の光学系にカップリングするカップリング光学系（カップリングレンズ）を有し、カップリングされた光束が線像結像光学系４０２により、光偏向器の偏向反射面近傍に、主走査方向に長い線像として結像される（請求項５）。
【００１１】
従って、上記実施の形態の光走査装置を用いることにより、偏向反射面を回転させる方式の光偏向器４０３により、光源側からの光束を偏向させ、偏向光束を走査結像光学系４０４，４０５により被走査面に向かって集光させ、被走査面上に光スポットを形成し、被走査面の光走査を行う光走査方法が実施される（請求項６）。
最後に、図４を参照して画像形成装置の実施の１形態を説明する。
この画像形成装置は「レーザプリンタ」である。
レーザプリンタ１００は、感光媒体１１１として「円筒状に形成された光導電性の感光体」を有している。感光媒体１１１の周囲には、帯電手段としての帯電ローラ１１２、現像装置１１３、転写ローラ１１４、クリーニング装置１１５が配備されている。帯電手段としては周知の「コロナチャージャ」を用いることもできる。
また、レーザ光束ＬＢによる光走査装置１１７が設けられ、帯電ローラ１１２と現像装置１１３との間で「光書込による露光」を行うようになっている。
図４において、符号１１６は定着装置、符号１１８はカセット、符号１１９はレジストローラ対、符号１２０は給紙コロ、符号１２１は搬送路、符号１２２は排紙ローラ対、符号１２３はトレイ、符号Ｐは記録媒体としての転写紙を示している。
画像形成を行うときは、光導電性の感光体である感光媒体１１１が時計回りに等速回転され、その表面が帯電ローラ１１２により均一帯電され、光走査装置１１７のレーザ光束ＬＢの光書き込による露光を受けて静電潜像が形成される。形成された静電潜像は所謂「ネガ潜像」であって画像部が露光されている。
この静電潜像は、現像装置１１３により反転現像され、像担持体１１１上にトナー画像が形成される。
転写紙Ｐを収納したカセット１１８は、画像形成装置１００本体に着脱可能であり、図のごとく装着された状態において、収納された転写紙Ｐの最上位の１枚が給紙コロ１２０により給紙される。給紙された転写紙Ｐは先端部をレジストローラ対１１９に銜えられる。レジストローラ対１１９は、像担持体１１１上のトナー画像が転写位置へ移動するのにタイミングをあわせて、転写紙Ｐを転写部へ送りこむ。送りこまれた転写紙Ｐは、転写部においてトナー画像と重ね合わせられ、転写ローラ１１４の作用によりトナー画像を静電転写される。トナー画像を転写された転写紙Ｐは定着装置１１６へ送られ、定着装置１１６においてトナー画像を定着され、搬送路１２１を通り、排紙ローラ対１２２によりトレイ１２３上に排出される。トナー画像が転写された後の像担持体１１１の表面は、クリーニング装置１１５によりクリーニングされ、残留トナーや紙粉等が除去される。
なお、転写紙に代えて前述のＯＨＰシート等を用いることもでき、トナー画像の転写は、中間転写ベルト等の「中間転写媒体」を介して行うようにすることもできる。光走査装置１１７として、図１（ａ）に示す如き光走査装置を用いることにより良好な画像形成を実行することができる。
【００１２】
従って、この画像形成装置は、感光媒体１１１の感光面に光走査装置１１７による光走査を行って潜像を形成し、潜像を可視化して画像を得る画像形成装置であって、感光媒体の感光面の光走査を行う光走査装置１１７としては、前述の請求項４または５記載のものを用いるものであり（請求項７）、感光媒体１１１が光導電性の感光体であり、感光面の均一帯電と光走査装置の光走査とにより形成される静電潜像が、トナー画像として可視化される（請求項８）。
【００１３】
【発明の効果】
以上に説明したように、この発明によれば、新規な走査結像レンズ・走査結像光学系・光走査装置・光走査方法および画像形成装置を実現できる。
この発明は、上記の如きものであるので、走査結像光学系に含まれ「プラスチック成形により形成される走査結像レンズ」の取り付け面のテーパに起因する走査線曲がりを有効に軽減もしくは防止することが可能である。
【図面の簡単な説明】
【図１】この発明の光走査装置の実施の一形態を説明するための図である。
【図２】走査線曲がりを防止する効果を説明するための図である。
【図３】走査結像レンズの成形型を説明するための図である。
【図４】画像形成装置の実施の１例を説明するための図である。
【符号の説明】
４０１      光源装置
４０２      シリンダレンズ（線像結像光学系）
４０３      回転多面鏡（光偏向器）
４０４      走査結像レンズ
４０５      トロイダルレンズ
４０６      走査線
ａｘ      屈折率分布の対称軸
ＡＸ      レンズ光軸
Δ        対称軸ａｘとレンズ光軸ＡＸの副走査方向のずれ量
【図１】
0003693154.tif 000002
【図２】
0003693154.tif 000003
【図３】
0003693154.tif 000004
【図４】
0003693154.tif 000005